(57)【要約】      （修正有）【課題】下防塵片を備えたスライダーを提供する。【解決手段】スライダー本体１０と前回流モジュール２０と後回流モジュール３０と２つの下防塵片４０を含み、スライダー本体は前端面１１とその反対側に位置する後端面１２を有し、前回流モジュールはスライダー本体に前端面に当接して接合され、２つの前位置決め溝２１１と２つの前係合溝２２１を有し、後回流モジュールはスライダー本体に後端面に当接して接合され、２つの後位置決め溝と２つの後係合溝を有し、スライダー本体と前回流モジュールと後回流モジュールとで少なくとも回流通路が形成され、各下防塵片は片体４１を有し、片体の両端それぞれに外方に軸方向に延伸する耳部４２を有し、片体の頂面の各耳部に隣接する位置のそれぞれに凸出している位置決め凸部４３を有し、各耳部は前係合溝及後係合溝内にそれぞれ挿入され、各位置決め凸部は前位置決め溝及後位置決め溝内にそれぞれ嵌められる。取外し容易、組立て便利、係止力が優れ、多方向規制で緩みにくい。【選択図】図４
0003218064.tif 000002
【実用新案登録請求の範囲】
【請求項１】
下防塵片を備えたスライダーであって、主として、
スライダー本体と、前回流モジュールと、後回流モジュールと、２つの下防塵片と、を含み、
前記スライダー本体は、前端面と、前記前端面の反対側に位置する後端面とを有し、
前記前回流モジュールは、前記スライダー本体に、前記前端面に当接して接合され、
前記前回流モジュールは、径方向上方に凹陥し、且つ所定間隔を有する２つの前位置決め溝を有し、
前記前回流モジュールは、軸方向に凹陥し、且つ所定間隔を有する２つの前係合溝を有し、
前記後回流モジュールは、前記スライダー本体に、前記後端面に当接して接合され、
前記後回流モジュールは、径方向上方に凹陥し、且つ所定間隔を有する２つの後位置決め溝を有し、
前記後回流モジュールは、軸方向に凹陥し、且つ所定間隔を有する２つの後係合溝を有し、
前記スライダー本体と前記前回流モジュールと前記後回流モジュールとで少なくとも回流通路が形成され、
各前記下防塵片は、片体を有し、
各前記下防塵片は、前記片体の両端のそれぞれに外方に軸方向に延伸する耳部を有し、
各前記下防塵片は、前記片体の頂面の、各前記耳部に隣接する位置のそれぞれに凸出している位置決め凸部を有し、
各前記下防塵片の両端の前記耳部は、前記前回流モジュールの前記前係合溝及び前記後回流モジュールの前記後係合溝内にそれぞれ挿入され、
各前記下防塵片の２つの前記位置決め凸部は、前記前回流モジュールの前記前位置決め溝及び前記後回流モジュールの前記後位置決め溝内にそれぞれ嵌められる
下防塵片を備えたスライダー。
【請求項２】
請求項１に記載の下防塵片を備えたスライダーであって、
前記前回流モジュールは、前蓋板と、前端蓋とを含み、
前記前蓋板の一端が前記スライダー本体の前記前端面に当接して接合され、
前記前端蓋は、前記前蓋板の他端に接合され、
２つの前記前位置決め溝は、前記前蓋板の底面より径方向上方に凹陥して形成され、
２つの前記前係合溝は、前記前端蓋より軸方向に凹陥して形成され、
前記後回流モジュールは、後蓋板と、後端蓋とを含み、
前記後蓋板の一端が前記スライダー本体の前記後端面に当接して接合され、
前記後端蓋は、前記後蓋板の他端に接合され、
２つの前記後位置決め溝は、前記後蓋板の底面より径方向上方に凹陥して形成され、
２つの前記後係合溝は、前記後端蓋より軸方向に凹陥して形成される
下防塵片を備えたスライダー。
【請求項３】
請求項１に記載の下防塵片を備えたスライダーであって、
前記前回流モジュールは、前蓋板と、前端蓋とを含み、
前記前蓋板の一端が前記スライダー本体の前記前端面に当接して接合され、
前記前端蓋は、前記前蓋板の他端に接合され、
２つの前記前係合溝は、前記前蓋板より軸方向に凹陥して形成され、
２つの前記前位置決め溝は、それぞれの前記前係合溝内の溝頂壁より径方向上方に凹陥して形成され、
前記後回流モジュールは、後蓋板と、後端蓋とを含み、
前記後蓋板の一端が前記スライダー本体の前記後端面に当接して接合され、
前記後端蓋は、前記後蓋板の他端に接合され、
２つの前記後係合溝は、前記後蓋板より軸方向に凹陥して形成され、
２つの前記後位置決め溝は、それぞれの前記後係合溝内の溝頂壁より径方向上方に凹陥して形成される
下防塵片を備えたスライダー。
【請求項４】
請求項１に記載の下防塵片を備えたスライダーであって、
各前記下防塵片は、一の前記位置決め凸部側が前記スライダー本体の前記前端面と当接し、他の前記位置決め凸部側が前記スライダー本体の前記後端面と当接する
下防塵片を備えたスライダー。
【考案の詳細な説明】
【技術分野】
【０００１】
本考案は、リニアガイドのスライダーに関し、特に下防塵片を備えたスライダーに関する。
【背景技術】
【０００２】
リニアガイドのスライダーは、主として、スライダー本体と、該スライダー本体の前端に装着される前回流モジュールと、該スライダー本体の後端に装着される後回流モジュールと、２つの防塵片とを含む。該スライダー本体と該前回流モジュールと該後回流モジュールとで少なくとも回流通路を形成して複数の転動体の循環転動に用いられる。該２つの下防塵片は、所定間隔で該スライダー本体の底面に装着されて、粉塵、異物の該回流通路内への進入を防止し、伝動の精度を維持し、部品の破損を回避することで、全体の使用寿命を増大させる。
【０００３】
現在、業界でよく見られるスライダーでは、下防塵片の固定方法が多種存在する。例えば、特許文献１のように、主として凹凸を利用して下防塵片の固定効果を得るものがあるが、軸方向滑止め機能を有せず、且つ組立てが不便である。また、例えば、特許文献２のように、主としてＬ型の係止部で前回流モジュールに固定するものがあるが、係止部によって体積が大きくなる。さらに、例えば、特許文献３のように、主として固定條及び細長保持器で下防塵片を固定するものがあるが、取外しにくく、且つ部品が多くなる。
【０００４】
従って、下防塵片を如何にして、取外しが容易で、組立てが便利で、係止力が優れていて、全体の体積が余分に増大しないようにするかが関係業者の解決すべき課題である。
【先行技術文献】
【特許文献】
【０００５】
【特許文献１】（台湾）特許公告第Ｉ４３１２０５号公報
【特許文献２】（日本）登録実用新案第２５６２９９７号公報
【特許文献３】（日本）登録実用新案第２５６３００３号公報
【考案の概要】
【考案が解決しようとする課題】
【０００６】
上記課題に鑑みて、本考案は、従来技術におけるスライダーの下防塵片に有する取外しにくい、組立てが不便である、緩みやすい、体積が増大する等の課題を改善するためのものである。
【課題を解決するための手段】
【０００７】
上記目的を達成するために、本考案に係る下防塵片を備えたスライダーは、主として、スライダー本体と、前回流モジュールと、後回流モジュールと、２つの下防塵片と、を含み、前記スライダー本体は、前端面と、前記前端面の反対側に位置する後端面とを有し、前記前回流モジュールは、前記スライダー本体に、前記前端面に当接して接合され、前記前回流モジュールは、径方向上方に凹陥し、且つ所定間隔を有する２つの前位置決め溝を有し、前記前回流モジュールは、軸方向に凹陥し、且つ所定間隔を有する２つの前係合溝を有し、前記後回流モジュールは、前記スライダー本体に、前記後端面に当接して接合され、前記後回流モジュールは、径方向上方に凹陥し、且つ所定間隔を有する２つの後位置決め溝を有し、前記後回流モジュールは、軸方向に凹陥し、且つ所定間隔を有する２つの後係合溝を有し、前記スライダー本体と前記前回流モジュールと前記後回流モジュールとで少なくとも回流通路が形成され、各前記下防塵片は、片体を有し、各前記下防塵片は、前記片体の両端のそれぞれに外方に軸方向に延伸する耳部を有し、各前記下防塵片は、前記片体の頂面の、各前記耳部に隣接する位置のそれぞれに凸出している位置決め凸部を有し、各前記下防塵片の両端の前記耳部は、前記前回流モジュールの前記前係合溝及び前記後回流モジュールの前記後係合溝内にそれぞれ挿入され、各前記下防塵片の２つの前記位置決め凸部は、前記前回流モジュールの前記前位置決め溝及び前記後回流モジュールの前記後位置決め溝内にそれぞれ嵌められる。
【考案の効果】
【０００８】
本考案によれば、取外しやすい、組立てが便利である、係止力が優れている、多方向で規制されて緩みにくい等の効果が得られる。
【図面の簡単な説明】
【０００９】
【図１】本考案の第１実施形態の分解斜視図である。
【図２】図１に図示の実施形態の他の視角からの分解斜視図である。
【図３】図１に図示の実施形態の組立斜視図である。
【図４】図１に図示の実施形態の組立断面図及びその局部拡大図である。
【図５】図１に図示の実施形態の組立断面図である。
【図６】本考案の第２実施形態の分解斜視図である。
【図７】図６に図示の実施形態の他の視角からの分解斜視図である。
【図８】図６に図示の実施形態の組立斜視図である。
【図９】図６に図示の実施形態の組立断面図及びその局部拡大図である。
【図１０】図６に図示の実施形態の組立断面図である。
【考案を実施するための形態】
【００１０】
以下では、本考案について、図面を参照して、以下の実施形態を例に説明する。
【００１１】
＜第１実施形態＞
図１〜図５に示すように、本考案の好適な第１実施形態に係る下防塵片を備えたスライダー１００は、主として、スライダー本体１０と、前回流モジュール２０と、後回流モジュール３０と、２つの下防塵片４０と、を含む。
【００１２】
図１〜図５に示すように、スライダー本体１０は、前端面１１と、前端面１１の反対側に位置する後端面１２とを有する。
【００１３】
前回流モジュール２０は、スライダー本体１０に、前端面１１に当接して接合される。前回流モジュール２０は、前蓋板２１と、前端蓋２２とを含み、前蓋板２１の一端がスライダー本体１０の前端面１１に当接して接合される。前端蓋２２は、前蓋板２１の他端に接合される。前蓋板２１の底面には所定間隔を有する２つの前位置決め溝２１１が径方向上方に凹陥して形成される。前端蓋２２には所定間隔を有する２つの前係合溝２２１が軸方向に凹陥して形成される。
【００１４】
後回流モジュール３０は、スライダー本体１０に、後端面１２に当接して接合される。後回流モジュール３０は、後蓋板３１と、後端蓋３２とを含み、後蓋板３１の一端がスライダー本体１０の後端面１２に当接して接合される。後端蓋３２は、後蓋板３１の他端に接合される。後蓋板３１の底面には所定間隔を有する２つの後位置決め溝３１１が径方向上方に凹陥して形成される。後端蓋３２には所定間隔を有する２つの後係合溝３２１が軸方向に凹陥して形成される。スライダー本体１０と前回流モジュール２０と後回流モジュール３０とで少なくとも回流通路９０が形成され、複数の転動体が回流通路９０内に収容されて無限循環転動が行われる。
【００１５】
各下防塵片４０は、略長尺状の片体４１を有し、片体４１の両端のそれぞれに外方に軸方向に延伸する耳部４２を有し、片体４１の頂面の、各耳部４２に隣接する位置のそれぞれに突出している位置決め凸部４３を有する。各下防塵片４０の両端の耳部４２は、前回流モジュール２０の前係合溝２２１及び後回流モジュール３０の後係合溝３２１内にそれぞれ挿入され、各下防塵片４０の２つの位置決め凸部４３は、前回流モジュール２０の前位置決め溝２１１及び後回流モジュール３０の後位置決め溝３１１内にそれぞれ嵌められる。
【００１６】
以上本考案の好適な一実施形態に係る下防塵片を備えたスライダー１００の各構成部材及びその組立について説明したが、次いで以下では、その特徴について説明する。
【００１７】
まず、下防塵片４０は、耳部４２と位置決め凸部４３とによって前回流モジュール２０及び後回流モジュール３０と係合して接続されるため、組立てが非常に便利である。また、各下防塵片４０は、一の位置決め凸部４３側がスライダー本体１０の前端面１１と当接し、他の位置決め凸部４３側がスライダー本体１０の後端面１２と当接するため、下防塵片４０は、軸方向及び径方向のいずれにおいても規制され、位置決めされるため、緩みにくく、係合力が優れている。さらに、本考案では、前回流モジュール２０及び後回流モジュール３０をスライダー本体１０から取り外すと、自然に下防塵片４０を取り外せるので、取外しやすいという効果が得られる。
【００１８】
＜第２実施形態＞
図６〜図１０に示すように、本考案の好適な第２実施形態に係る下防塵片を備えたスライダー２００は、上記実施形態と同様に、主として、スライダー本体５０と、前回流モジュール６０と、後回流モジュール７０と、２つの下防塵片８０と、を含む。本実施形態は、主として以下の点において上記実施形態と異なる。
【００１９】
本実施形態では、前回流モジュール６０は、前蓋板６１と、前端蓋６２とを含む。前蓋板６１には所定間隔を有する２つの前係合溝６１１が軸方向に凹陥して形成される。各前係合溝６１１内の溝頂壁には前位置決め溝６１２が上方に径方向にさらに凹陥して形成される。
【００２０】
後回流モジュール７０は、後蓋板７１と、後端蓋７２とを含む。後蓋板７１には所定間隔を有する２つの後係合溝７１１が軸方向に凹陥して形成される。各後係合溝７１１内の溝頂壁には後位置決め溝７１２が上方に径方向にさらに凹陥して形成される。
【００２１】
これによって、各下防塵片８０の２つの耳部８２が前回流モジュール６０の前係合溝６１１及び後回流モジュール７０の後係合溝７１１内にそれぞれ挿入されて係合して接続され、各下防塵片８０の２つの位置決め凸部８３が前回流モジュール６０の前位置決め溝６１２及び後回流モジュール７０の後位置決め溝７１２内にそれぞれ嵌められる。これによって、同様に、取外しやすい、組立てが便利である、係合力が優れている、多方向で規制されて緩みにくい等の効果を奏することができる。
【００２２】
以上は、本考案の好適な実施形態を開示するものであり、本考案を限定するものではない。本技術分野における通常の知識を有する者が本考案に基づいてされた均等変更は、いずれも本考案の範囲に含まれる。
【符号の説明】
【００２３】
＜第１実施形態＞
１００        下防塵片を備えたスライダー
１０          スライダー本体
１１          前端面
１２          後端面
２０          前回流モジュール
２１          前蓋板
２１１        前位置決め溝
２２          前端蓋
２２１        前係合溝
３０          後回流モジュール
３１          後蓋板
３１１        後位置決め溝
３２          後端蓋
３２１        後係合溝
４０          下防塵片
４１          片体
４２          耳部
４３          位置決め凸部
９０          回流通路
＜第２実施形態＞
２００        下防塵片を備えたスライダー
５０          スライダー本体
６０          前回流モジュール
６１          前蓋板
６１１        前係合溝
６１２        前位置決め溝
６２          前端蓋
７０          後回流モジュール
７１          後蓋板
７１１        後係合溝
７１２        後位置決め溝
７２          後端蓋
８０          下防塵片
８２          耳部
８３          位置決め凸部
【図１】
0003218064.tif 000003
【図２】
0003218064.tif 000004
【図３】
0003218064.tif 000005
【図４】
0003218064.tif 000006
【図５】
0003218064.tif 000007
【図６】
0003218064.tif 000008
【図７】
0003218064.tif 000009
【図８】
0003218064.tif 000010
【図９】
0003218064.tif 000011
【図１０】
0003218064.tif 000012